(57)【要約】      （修正有）【課題】テーブルや棚等の配置面を加工しなくても、容易に組み込むことができるワイヤレス給電モジュールを提供する。【解決手段】ワイヤレス給電モジュール１は、グランド電極用シート体と、グランド電極用シート体の上に形成されたグランド電極層と、グランド電極層の上に形成された下部シート体と、下部シート体の上に形成された送電電極層と、開口を有し、送電電極層の上に積層された上部シート体４と、送電電極層と導電ペーストを介して電気的に接続された、開口から突出した電極端子と、グランド電極層と導電ペーストを介して電気的に接続された電極端子と、開口から突出した電極端子に接続された伝送回路基板とを備えている。【選択図】図２
2015037334.tif 000002
【特許請求の範囲】
【請求項１】
受電電極層を有する受電機器に電力を供給するワイヤレス給電モジュールであって、
下部シート体と、
前記下部シート体の上に形成された、前記受電電極層とキャパシタを構成する送電電極層と、
開口又は切欠きを有し、前記送電電極層の上に積層された上部シート体と、
前記送電電極層と導電ペーストを介して電気的に接続された、前記開口又は前記切欠きから突出した電極端子と、
電源からの電力を前記送電電極層に伝送する、前記電極端子に接続された伝送回路基板とを備えた、ワイヤレス給電モジュール。
【請求項２】
前記上部シート体の表面又は裏面の上に図柄層が形成された、請求項１に記載のワイヤレス給電モジュール。
【請求項３】
前記伝送回路基板は前記上部シート体の上に配置され、
前記電極端子及び前記伝送回路基板を収納するボックスを更に備えた、請求項１に記載のワイヤレス給電モジュール。
【請求項４】
平面を有する支持体と、
前記支持体の上に連続して並べて固定された、複数の請求項１から請求項３のいずれかに記載のワイヤレス給電モジュールとを備えた、ワイヤレス給電ユニット。
【請求項５】
支持体と、
所定の間隔を空けて上下に連続して前記支持体に固定された複数の棚体と、
前記棚体の各々の上に配置された、１つ又は複数の、請求項１から請求項３のいずれかに記載のワイヤレス給電モジュールとを備えた、ワイヤレス給電ユニット。
【請求項６】
水平に延びる支持体と、
水平面に対して直角より小さい角度で立ち上がるように、所定の間隔を空けて連続して前記支持体に固定された板体と、
前記板体の各々の上面に配置された、１つ又は複数の、請求項１から請求項３のいずれかに記載のワイヤレス給電モジュールとを備えた、ワイヤレス給電ユニット。
【請求項７】
壁に掛けることができる壁掛体と、
前記壁掛体の正面に固定された、１つ又は複数の、請求項１から請求項３のいずれかに記載のワイヤレス給電モジュールと、
前記受電機器が前記ワイヤレス給電モジュールの所定の位置に配置されるように、前記受電機器を吊り下げる、前記ワイヤレス給電モジュールから突出したフックとを備えた、ワイヤレス給電ユニット。
【発明の詳細な説明】
【技術分野】
【０００１】
本発明は、ワイヤレス給電モジュールに関し、特に受電電極層を有する受電機器に電力を供給するワイヤレス給電モジュールに関する。
【背景技術】
【０００２】
携帯電話、スマートフォン、タブレット型パソコン等の携帯端末に電力を供給する方法として、ワイヤレス給電モジュールを用いた非接触型の給電方法が挙げられる。この非接触型の給電方法の一つに、受電電極と送電電極とを対向させて静電容量結合により電力を伝送する電界結合方式が採用されている。
従来の電界結合方式によるワイヤレス給電モジュールは、筺体と、筺体の表面側に設けられた電極層と、電極層の上に設けられた天板と、筺体の裏面側に設けられ、筺体内部を通して電極層と電気的に接続された電極端子とを備えている（例えば、特許文献１参照）。
【先行技術文献】
【特許文献】
【０００３】
【特許文献１】特開２０１２−２１２９６６
【発明の概要】
【発明が解決しようとする課題】
【０００４】
上記のワイヤレス給電モジュールをテーブルや棚等に組み込もうとすると、筺体の裏面側に設けられた電極端子が邪魔になり、そのままでは組み込めない。すなわち、テーブルや棚等の配置面に電極端子及びそれと接続される伝送回路基板等のための空間を設ける等の加工が必要である。また、既製のテーブルや棚へのワイヤレス給電モジュールの後付けも困難である。
【０００５】
本発明の目的は、テーブルや棚等の配置面を加工しなくても、容易に組み込むことができるワイヤレス給電モジュールを提供することである。
【課題を解決するための手段】
【０００６】
上記の目的を達成するために、第１の発明は、受電電極層を有する受電機器に電力を供給するワイヤレス給電モジュールであって、下部シート体と、下部シート体の上に形成された、受電電極層とキャパシタを構成する送電電極層と、開口又は切欠きを有し、送電電極層の上に積層された上部シート体と、送電電極層と導電ペーストを介して電気的に接続された、開口又は切欠きから突出した電極端子と、電源からの電力を送電電極層に伝送する、電極端子に接続された伝送回路基板とを備えた、ワイヤレス給電モジュールである。
【０００７】
このように構成すると、電極端子は開口又は切欠きから突出するため、下部シート体の裏面が平面になる。よって、テーブルや棚等の配置面に伝送回路基板や電極端子を収納する空間を加工しなくても、テーブルや棚等にワイヤレス給電モジュールを容易に組み込むことができる。また、既製のテーブルや棚等への後付けが容易となる。
【０００８】
第２の発明は、第１の発明の構成において、上部シート体の表面又は裏面の上に図柄層が形成された、ワイヤレス給電モジュールである。
【０００９】
このように構成すると、送電電極層の上面が加飾されるため、送電電極層を隠蔽することができる。また、ワイヤレス給電モジュールの上面に、所望のデザインを付与することができる。
【００１０】
第３の発明は、第１発明の構成において、伝送回路基板は上部シート体の上に配置され、電極端子及び伝送回路基板を収納するボックスを更に備えた、ワイヤレス給電モジュールである。
【００１１】
このように構成すると、伝送回路基板が上部シート体の上で一体の部品となるため、省スペースとなる。また、テーブルや棚等へ組み込みやすくなる。
【００１２】
第４の発明は、第１発明から第３発明のいずれかの構成において、平面を有する支持体と、支持体の上に連続して並べて固定された、複数のワイヤレス給電モジュールとを備えた、ワイヤレス給電ユニットである。
【００１３】
このように構成すると、支持体を加工することなく、平面上の所望の位置に複数のワイヤレス給電モジュールが配置されたワイヤレス給電ユニットとなる。
【００１４】
第５の発明は、第１発明から第３発明のいずれかの構成において、支持体と、所定の間隔を空けて上下に連続して支持体に固定された複数の棚体と、棚体の各々の上に配置された、１つ又は複数のワイヤレス給電モジュールとを備えた、ワイヤレス給電ユニットである。
【００１５】
このように構成すると、送電電極層部分が薄いため、同じ高さにより多くのワイヤレス給電モジュールを配置することができ、高さ方向に効率的な棚形状のワイヤレス給電ユニットとなる。
【００１６】
第６の発明は、第１発明から第３発明のいずれかの構成において、水平に延びる支持体と、水平面に対して直角より小さい角度で立ち上がるように、所定の間隔を空けて連続して支持体に固定された板体と、板体の各々の上面に配置された、１つ又は複数のワイヤレス給電モジュールとを備えた、ワイヤレス給電ユニットである。
【００１７】
このように構成すると、送電電極層部分が薄いため、同じ長さにより多くのワイヤレス給電モジュールを配置することができ、水平方向に効率的なワイヤレス給電ユニットとなる。
【００１８】
第７の発明は、第１発明から第３発明のいずれかの構成において、壁に掛けることができる壁掛体と、壁掛体の正面に固定された、１つ又は複数のワイヤレス給電モジュールと、受電機器がワイヤレス給電モジュールの所定の位置に配置されるように、受電機器を吊り下げる、ワイヤレス給電モジュールから突出したフックとを備えた、ワイヤレス給電ユニットである。
【００１９】
このように構成すると、送電電極層部分が薄いため、全体として薄い壁掛け式のワイヤレス給電ユニットとなる。
【発明の効果】
【００２０】
本発明によれば、テーブルや棚等の配置面を加工しなくても、ワイヤレス給電モジュールを容易に組み込むことができる。
【図面の簡単な説明】
【００２１】
【図１】本発明の第１実施形態に係るワイヤレス給電モジュールの概略構成を示した斜視図である。
【図２】図１で示したワイヤレス給電モジュールに充電のために受電機器が載置された状態を示した斜視図である。
【図３】図１で示したワイヤレス給電モジュールの概略構成を示した図であって、(ａ)が背面図であり、（ｂ）が左側面図であり、（ｃ）が平面図であり、（ｄ）が右側面図であり、（ｅ）が正面図であり、（ｆ）が底面図である。
【図４】図３（ｃ）に示したＩ‐Ｉライン断面図である。
【図５】図４で示した下部シート体の平面図である。
【図６】図４で示した上部シート体の平面図である。
【図７】図４で示したグランド電極用シート体の平面図である。
【図８】図１で示したワイヤレス給電モジュールを用いたワイヤレス給電ユニットの概略構成を示した斜視図である。
【図９】図１で示したワイヤレス給電モジュールを用いた他のワイヤレス給電ユニットの概略構成を示した斜視図である。
【図１０】図１で示したワイヤレス給電モジュールを用いた他のワイヤレス給電ユニットの概略構成を示した斜視図である。
【図１１】図１で示したワイヤレス給電モジュールを用いた他のワイヤレス給電ユニットの概略構成を示した平面図である。
【図１２】本発明の第２実施形態に係るワイヤレス給電モジュールの概略構成を示した斜視図である。
【図１３】図１２で示したワイヤレス給電モジュールの概略構成を示した図であって、(ａ)が背面図であり、（ｂ）が左側面図であり、（ｃ）が平面図であり、（ｄ）が右側面図であり、（ｅ）が正面図であり、（ｆ）が底面図である。
【発明を実施するための形態】
【００２２】
次に、発明の実施の形態について図を参照しながら説明する。
【００２３】
[第１実施形態]
図１を参照して、本発明の第１実施形態に係るワイヤレス給電モジュール１は、最表面が上部シート体４となる長方形のシート状積層体の上に、長方形の短手方向に沿うように、後述する電極端子６ａ、６ｂ、６ｃと伝送回路基板７とが収納されたボックス９が配置されている。ボックス９には外部電源端子１７が形成されており、外部電源端子１７は図示しない外部電源と電気的に接続される。
図２を参照して、ワイヤレス給電モジュール１は、受電機器１０に形成された図示しない受電電極層と送電電極層３とが対向するように受電機器１０が上部シート体４の上に載置され、受電電極層と送電電極層３とで構成されたキャパシタを通じ、電力が供給される。送電電極層３と受電機器１０の受電電極層とを対向させることで、送電電極層３と受電機器１０の受電電極層とが静電容量結合される。それにより、ワイヤレス給電モジュール１の伝送回路基板７から送電電極層３を介して、受電機器１０の受電電極層に電力が供給される。
【００２４】
図３及び図４を参照して、ワイヤレス給電モジュール１は、グランド電極用シート体１４と、グランド電極用シート体１４の上に形成されたグランド電極層１３と、グランド電極層１３の上に形成された下部シート体２と、下部シート体２の上に形成された送電電極層３と、開口１１ａ、１１ｂ、１１ｃを有し、送電電極層３の上に積層された上部シート体４と、送電電極層３と導電ペースト５を介して電気的に接続された、開口１１ｂ、１１ｃからそれぞれ突出した電極端子６ｂ、６ｃと、グランド電極層１３と導電ペースト５を介して電気的に接続された電極端子６ａと、開口１１ａ、１１ｂ、１１ｃからそれぞれ突出した電極端子６ａ、６ｂ、６ｃに接続された伝送回路基板７とを備えている。伝送回路基板７は、外部電源端子１７を介して図示しない外部電源と電気的に接続される。
受電機器１０の例としては、携帯電話、スマートフォン、タブレット型パソコン、携帯音楽プレーヤー等が挙げられる。受電電極層は、前記の受電機器そのものに形成されていても良いし、受電電極層が形成されたカバーが装着されていても良い。
【００２５】
図７を参照して、グランド電極層１３は、グランド電極用シート体１４の上に矩形状に形成される。グランド電極層１３の材料としては、金、銀、銅、錫、ニッケル、パラジウムなどの金属や、酸化錫、酸化インジウム、酸化アンチモン、酸化亜鉛、酸化カドミウム、酸化インジウム錫（ＩＴＯ）などの金属酸化物などの透明導電膜が用いられる。グランド電極層１３の形成方法としては、真空蒸着法、スパッタリング法、イオンプレーティング法、ＣＶＤ法などを採用することができる。
グランド電極用シート体１４は、ワイヤレス給電モジュール１の最底面となる。グランド電極用シート体１４の材料としては、アクリル、ポリエチレン、ポリエチレンテレフタレート、ポリスチレンなどのフィルム材料を用いることができる。
【００２６】
図５を参照して、送電電極層３は、下部シート体２上の中央部分に形成された矩形の電極と、矩形の電極から開口１１ｃに対応する位置まで繋がるように形成された引き回し電極とを備えるアクティブ電極３ａと、アクティブ電極３ａを囲むように形成され、短手方向が長手方向より幅広に形成されたパッシブ電極３ｂとからなる。送電電極層３の材料としては、グランド電極層１３と同じ材料を用いることができる。送電電極層３の形成方法としては、グランド電極層１３と同じ方法を採用して形成することができる。下部シート体２の材料としては、グランド電極用シート体１４と同じ材料を用いることができる。送電電極層３が形成された下部シート体２は、グランド電極層１３が形成されたグランド電極用シート体１４に接着層１５を介して貼り合わされる。
【００２７】
上部シート体４は、送電電極層３の上に形成され、ワイヤレス給電モジュール１の最表面となる。図６を参照して、上部シート体４には電極端子６ａ、６ｂ、６ｃを突出させるための開口１１ａ、１１ｂ、１１ｃが形成されている。開口１１ａ、１１ｂ、１１ｃは、電極端子６ａ、６ｂ、６ｃの大きさにそれぞれ対応させた矩形形状を有する。上部シート体４の表面には、ワイヤレス給電モジュール１の上面を加飾するための図柄層８が形成されている。図柄層８は、パッシブ電極３ｂの外縁に対応するように、上部シート体４のほぼ全面に形成されている。図柄層８により、送電電極層３を隠蔽することができる。図柄層８を形成する方法としては、例えば、グラビア印刷、スクリーン印刷、オフセット印刷等の公知の印刷法や転写法等を採用することができる。
上部シート体４の材料としては、グランド電極用シート体１４と同じ材料を用いることができる。上部シート体４は、送電電極層３が形成された下部シート体２に接着層１５を介して貼り合わされる。
【００２８】
図４を再び参照して、電極端子６ａ、６ｂ、６ｃは、帯状の銅板をコの字型に折り曲げられて形成されたものである。電極端子６ｂ、６ｃの折り曲げられた一辺は、導電ペースト５を介して送電電極層３のパッシブ電極３ｂ及びアクティブ電極３ａとそれぞれ電気的に接続されている。電極端子６ａの折り曲げられた一辺は、導電ペースト５を介してグランド電極層１３と電気的に接続されている。電極端子６ａに対応する部分には、上部シート体４だけでなく、下部シート体２にも開口１１ａが形成されている。
電極端子６ａ、６ｂ、６ｃの折り曲げられた他辺は、後述する伝送回路基板７に設けられた電極端子１２と、リード線１６を介して電気的に接続される。電極端子６ａ、６ｂ、６ｃの折り曲げられた他辺には、リード線１６が接続されるための開口が形成されている。電極端子６ａ、６ｂ、６ｃは、上部シート体４の開口１１から突出される。
電極端子６ａ、６ｂ、６ｃは、導電性を有する材料であれば良く、銅の他に、金、白金、銀、アルミ、鉄、カーボン等を用いることができる。導電ペースト５は、送電電極層３と電極端子６とを接続するものである。導電ペースト５の材料としては、金フィラー、銀フィラー、銅フィラー、カーボン粒子、カーボンナノチューブ等をエポキシ樹脂等に分散させたペースト状材料等を採用することができる。
【００２９】
伝送回路基板７は、電力の伝送を制御するＩＣ等を備える。図３及び図４を再び参照して、伝送回路基板７は、上部シート体４上の短手方向に配置されている。電極端子６ａ、６ｂ、６ｃと伝送回路基板７とはボックス９内に収納されている。ボックス９は、箱体の底面が開口とされた形状である。伝送回路基板７をボックス９に収納することで、上部シート体４の上で一体の部品にすることができ、省スペースとなる。
【００３０】
上記の構成を有するワイヤレス給電モジュール１は、電極端子６ａ、６ｂ、６ｃが上部シート体４の開口１１ａ、１１ｂ、１１ｃからそれぞれ突出するため、下部シート体２の裏面を平面にすることができる。
【００３１】
次に上記第１実施形態に係るワイヤレス給電モジュール１を用いたワイヤレス給電ユニット１００、２００、３００、４００について説明する。
【００３２】
図８を参照して、ワイヤレス給電ユニット１００は、テーブル１８（平面を有する支持体の一例）と、テーブル１８の上に複数連続して並べて固定されたワイヤレス給電モジュール１とを備える。ワイヤレス給電モジュール１は、テーブル１８の上に例えば接着剤等を介して固定されている。ボックス９は、複数のワイヤレス給電モジュール１に対して一つのボックスとすることができる。
【００３３】
上記の構成にすると、ワイヤレス給電モジュール１の裏面が平面であるため、テーブル１８の配置面に伝送回路基板７や電極端子６ａ、６ｂ、６ｃを収納するための空間を加工しなくても、テーブル１８の所望の位置にワイヤレス給電モジュール１を組み込むことができる。また、テーブル１８が既製品の場合でも、テーブル１８にワイヤレス給電モジュール１をそのまま配置するだけでよく、後付けが容易となる。
【００３４】
図９を参照して、ワイヤレス給電ユニット２００は、支持体１９と、上下に連続して支持体１９に固定された複数の棚体２０と、棚体２０の各々の上に配置されたワイヤレス給電モジュール１とを備えている。支持体１９は、側板、天板、地板、背板からなる前面が開口の箱形状を有する。棚体２０は、ワイヤレス給電モジュール１を配置した時に受電機器１０が載置できるだけの間隔を空けて、上下方向に整列して支持体１９に固定されている。それぞれの棚体２０の上に受電機器１０が載置される。棚体２０同士の間隔は、受電機器１０の大きさに応じて所望の間隔に設定できる。ワイヤレス給電モジュール１のボックス９は、受電機器１０の邪魔にならないよう、支持体１９の背板側に配置されている。
【００３５】
上記の構成にすると、ワイヤレス給電モジュール１の送電電極層３部分が薄く形成されているため、同じ高さにより多くのワイヤレス給電モジュール１を配置することができる。よって、高さ方向に効率的な棚形状のワイヤレス給電ユニット２００となる。
【００３６】
図１０を参照して、ワイヤレス給電ユニット３００は、水平に延びる支持体２１と、支持体２１に所定の間隔を空けて一列に並ぶように固定された板体２２と、板体２２の各々の上面に配置された複数のワイヤレス給電モジュール１とを備えている。ワイヤレス給電モジュール１のボックス９は、支持体２１と接するように底辺に配置されている。受電機器１０は、ワイヤレス給電モジュール１の上面に立てかけるように、ボックス９の上に載置される。
【００３７】
支持体２１は、矩形の平板形状を有する。支持体２１の幅や長さは、ワイヤレス給電モジュール１の設置数や受電機器１０の大きさに応じて所望のサイズに設定することができる。
板体２２は、受電機器１０を安定して載置できるように、水平面に対して直角より小さい角度で立ち上がるように支持体２１に固定されている。板体２２は、ワイヤレス給電モジュール１を上面に配置できるよう、ワイヤレス給電モジュール１と同じかそれより大きい平板形状を有する。板体２２とワイヤレス給電モジュール１とは、例えば接着剤等で貼り合わされる。
板体２２同士の間隔は、受電機器１０の大きさに応じて所望の間隔に設定することができる。
支持体２１及び板体２２の材料は、受電機器１０の重量に耐えられるものであれば良く、樹脂、金属、木材、紙パルプ等を成形加工したものを用いることができる。
【００３８】
上記の構成にすると、ワイヤレス給電モジュール１の送電電極層３部分が薄く形成されているため、同じ長さにより多くのワイヤレス給電モジュール１を配置することができる。よって、水平方向に効率的なワイヤレス給電ユニット３００となる。
【００３９】
図１１を参照して、ワイヤレス給電ユニット４００は、壁に掛けることができる壁掛体２３と、壁掛体２３の正面に固定されたワイヤレス給電モジュール１と、受電機器１０がワイヤレス給電モジュール１に配置されるように受電機器１０を吊り下げる、ワイヤレス給電モジュール１から突出したフック２４とを備えている。ワイヤレス給電モジュール１は、壁掛体２３と、例えば接着剤等を介して貼り合わされている。
【００４０】
壁掛体２３は、矩形の平板形状である。壁掛体２３には開口を有する吊り下げ部が形成されており、壁に配置された吊り下げ金具等に吊り下げて使用される。壁掛体２３の材料としては、壁に掛けた時にワイヤレス給電モジュール１の重さに耐えられるものであれば良く、例えば、樹脂や金属、木材などを使用することができる。
フック２４は、ワイヤレス給電モジュール１の正面から突出するように取り付けられる。
受電機器１０に形成された開口に引っ掛けて吊り下げることで、受電機器１０をワイヤレス給電モジュール１に配置させる。フック２４としては、受電機器１０の重さに耐えられるものであれば、どのようなものでも好適に使用することができる。
【００４１】
上記の構成にすると、ワイヤレス給電モジュール１の送電電極層３部分が薄く形成されているため、全体として薄い壁掛け式のワイヤレス給電ユニット４００となる。
【００４２】
[第２実施形態]
上記の本発明の第１実施形態に係るワイヤレス給電モジュール１と重複する部分については説明を省略する。図１２及び図１３を参照して、本発明の第２実施形態に係るワイヤレス給電モジュール１では、電極端子６ａ、６ｂ、６ｃと伝送回路基板７とが収納されているボックス９は、上部シート体４の一方の長辺に沿うように配置されており、全体として横長の形状になっている。本発明の第２実施形態に係るワイヤレス給電モジュール１は、上記のワイヤレス給電ユニット１００、２００、３００、４００に適用できる。
【００４３】
なお、図柄層８は、送電電極層３を隠蔽するだけでなく、ワイヤレス給電モジュール１の上面に、受電機器１０の載置位置を誘導するデザインを施すなど、所望のデザインを付与することもできる。また、上記では図柄層８は上部シート体４の表面に形成されていたが、上部シート体４の裏面に形成されていてもよい。
【００４４】
また、ワイヤレス給電ユニット１００における支持体は、テーブル１８に限られるものではなく、例えば台や脚のない板状のものでもよい。
【００４５】
また、ワイヤレス給電ユニット２００における支持体１９は、箱形状に限定されるものではなく、一本又は複数本の柱状の部材であってもよい。また、棚体２０は、必ずしも上下方向に整列している必要はなく、例えば互い違いに配置されていてもよい。
【００４６】
また、ワイヤレス給電ユニット３００における板体２２は、必ずしも一列に配置される必要はなく、二列以上になっても構わない。また、支持体２１の形状は、矩形の平板形状に限定されるものではなく、円形等でも構わないし、テーブルのように脚がついていても構わない。
【００４７】
また、ワイヤレス給電ユニット４００における壁掛体２３は、矩形に限定されるものではなく、円形等でも構わない。また、壁掛体２３は、必ずしも吊り下げ金具等に吊り下げられる必要はなく、壁に直接接着されて固定されていても良い。
【符号の説明】
【００４８】
１  ワイヤレス給電モジュール
２  下部シート体
３  送電電極層
３ａ  アクティブ電極
３ｂ  パッシブ電極
４  上部シート体
５  導電ペースト
６ａ  電極端子
６ｂ  電極端子
６ｃ  電極端子
７  伝送回路基板
８  図柄層
９  ボックス
１０  受電機器
１１ａ  開口
１１ｂ  開口
１１ｃ  開口
１２  電極端子
１３  グランド電極層
１４  グランド電極用シート体
１５  接着層
１６  リード線
１７  外部電源端子
１８  テーブル
１９  支持体
２０  棚体
２１  支持体
２２  板体
２３  壁掛体
２４  フック
１００  ワイヤレス給電ユニット
２００  ワイヤレス給電ユニット
３００  ワイヤレス給電ユニット
４００  ワイヤレス給電ユニット
【図１】
2015037334.tif 000003
【図２】
2015037334.tif 000004
【図３】
2015037334.tif 000005
【図４】
2015037334.tif 000006
【図５】
2015037334.tif 000007
【図６】
2015037334.tif 000008
【図７】
2015037334.tif 000009
【図８】
2015037334.tif 000010
【図９】
2015037334.tif 000011
【図１０】
2015037334.tif 000012
【図１１】
2015037334.tif 000013
【図１２】
2015037334.tif 000014
【図１３】
2015037334.tif 000015